(57)【要約】【課題】ホログラフィを利用して情報が記録された光記録媒体、特に透過型ホログラムの再生時における、光源（バックライト）、再生画像の奥側に透けて見える画像等の不要な物体の視認を防止し、再生画像をより鮮明に観察者に視認させることができる光再生装置及び光再生方法の提供。【解決手段】本発明の光再生装置は、ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する記録情報再生手段と、前記再生光の光源と前記光記録媒体との間に位置する該再生光の光路上に配置され、かつ該光記録媒体に対して特定角度で入射する前記再生光を遮蔽する再生光遮蔽手段とを有することを特徴とする。【選択図】図３Ｂ
2008065083.tif 000002
【特許請求の範囲】
【請求項１】
ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する記録情報再生手段と、前記再生光の光源と前記光記録媒体との間に位置する該再生光の光路上に配置され、かつ該光記録媒体に対して特定角度で入射する前記再生光を遮蔽する再生光遮蔽手段とを有することを特徴とする光再生装置。
【請求項２】
光記録媒体が、透過型ホログラムである請求項１に記載の光再生装置。
【請求項３】
再生光遮蔽手段が、並列配置された複数の遮光板からなる請求項１から２のいずれかに記載の光再生装置。
【請求項４】
一の遮光板と該一の遮光板と隣接する他の遮光板との間隔と、前記他の遮光板と該他の遮光板と隣接する遮光板との間隔とが、互いに略同一である請求項３に記載の光再生装置。
【請求項５】
隣接する遮光板同士の配置間隔が、１μｍ〜１００ｍｍである請求項４に記載の光再生装置。
【請求項６】
遮光板の少なくとも１枚が、光記録媒体における厚み方向に対して傾斜配置された請求項３から５のいずれかに記載の光再生装置。
【請求項７】
遮光板の光記録媒体における厚み方向に対する傾斜角が、±２０°より大きく、かつ±８０°以内である請求項６に記載の光再生装置。
【請求項８】
遮光板の光記録媒体における厚み方向に対する傾斜角が、±２０°以内である請求項６に記載の光再生装置。
【請求項９】
遮光板が、再生光を透過可能な透過部を少なくとも一部に有する請求項３から８のいずれかに記載の光再生装置。
【請求項１０】
透過部が、遮光板の厚み方向に形成された貫通孔である請求項９に記載の光再生装置。
【請求項１１】
透過部の開口径が、１μｍ〜１０ｍｍである請求項９から１０のいずれかに記載の光再生装置。
【請求項１２】
透過部が、一定間隔で規則的に配列した請求項９から１１のいずれかに記載の光再生装置。
【請求項１３】
隣接する透過部同士の間隔が、１μｍ〜１００ｍｍである請求項１２に記載の光再生装置。
【請求項１４】
貫通孔の深さと開口径との比が、２以上である請求項１０から１３のいずれかに記載の光再生装置。
【請求項１５】
再生光遮蔽手段が、ルーバーである請求項１から８のいずれかに記載の光再生装置。
【請求項１６】
遮光板の厚みが、１μｍ〜１００ｍｍである請求項３から１５のいずれかに記載の光再生装置。
【請求項１７】
遮光板の色が、黒色である請求項３から１６のいずれかに記載の光再生装置。
【請求項１８】
ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する記録情報再生工程と、前記再生光の光源と前記光記録媒体との間に位置する該再生光の光路上にて、該光記録媒体に対して特定角度で入射する前記再生光を遮蔽する再生光遮蔽工程とを含むことを特徴とする光再生方法。
【請求項１９】
光記録媒体が、透過型ホログラムである請求項１８に記載の光再生方法。
【請求項２０】
再生光の遮蔽が、再生光の光源と光記録媒体との間に配置された再生光遮蔽手段により行われる請求項１８から１９のいずれかに記載の光再生方法。
【発明の詳細な説明】
【技術分野】
【０００１】
本発明は、ホログラフィを利用して情報が記録された光記録媒体における該情報を再生する光再生装置及び光再生方法に関し、特に透過型ホログラムの再生時における、光源（バックライト）、再生画像の奥側に透けて見える画像等の不要な物体の視認を防止し、再生画像をより鮮明に観察者に視認させることができる光再生装置及び光再生方法に関する。
【背景技術】
【０００２】
ホログラフィを利用して光記録媒体に記録された情報を再生する光再生方法は、前記光記録媒体の記録に用いられた参照光と同じ再生光を、記録時と同じ方向から照射することにより行われる。該光照射により、前記光記録媒体に記録された、光情報としての干渉縞からなる干渉像から回折光が生成され、前記光情報が再生される。このような、光記録媒体への前記情報の記録方法としては、一般に、イメージ情報を持った情報光（物体光）と参照光とを前記光記録媒体の内部で干渉させ、その際に生成される干渉縞を前記光記録媒体に書き込むことによって行われる。
【０００３】
前記光再生方法としては、ホログラムの種類により異なり、該ホログラムは、通常、反射型ホログラムと透過型ホログラムとに大別される。
前記反射型ホログラムは、ホログラムを再生する際、ホログラムに対して照射した前記再生光の進行方向とは逆の方向に回折光が出射するホログラムであり、この場合、前記光再生方法は、前記再生光を前記ホログラムに観察者側から照射することにより行われる。
前記透過型ホログラムは、ホログラムを再生する際、透過光により前記回折光が生成されるホログラムであり、この場合、前記光再生方法は、前記再生光を前記ホログラムの背後から照射することにより行われる。
このように、前記反射型ホログラムの場合には、前記再生光を観察者側から照射するため、採光し難く、明るい場所でないと、再生画像が見え難いという問題がある。このため、比較的暗い場所でも、再生画像を容易に視認することができる点で、観察者の反対側から前記ホログラムに前記再生光を照射することにより再生画像を生成する、透過型ホログラムが採用されている。
【０００４】
しかし、例えば、図１４Ａに示すように、透過型ホログラムを水平面に対して垂直方向に配置し、該ホログラムに対して略垂直方向から観察者が回折光を目視する場合、前記ホログラムの奥側から光源（バックライト）を用いて、前記再生光を該ホログラムの厚み方向に対して斜めから照射する。すると、図１４Ｂに示すように、ハート型のホログラム像（再生画像）だけでなく、該ホログラム像の奥側に、再生画像以外の画像として、月型の画像が透き通って見えたり、直射光（再生光）は目に入らないものの、バックライトそのものの形状が視認されるという問題がある。
また、例えば、図１５Ａに示すように、透過型ホログラムを水平面に対して平行に配置し、該ホログラムに対して斜め方向から観察者が回折光を目視する場合、前記ホログラムの奥側から光源（バックライト）を用いて、前記再生光を該ホログラムに対して垂直方向から照射する。すると、前述の透過型ホログラムを水平面に対して垂直方向に配置した場合と同様に、図１５Ｂに示すように、ハート型のホログラム像（再生画像）以外にも、不要な物体が視認される。
【０００５】
所望の再生画像以外の物体の視認を防止する方法としては、例えば、透過型ホログラムスクリーンを用いた表示装置において、透過型ホログラムスクリーンと、表示器との間に、透過型ホログラムスクリーン上に結像した像は目視者側から見えるが、前記表示器は見えないようにする光制御部材を設けた表示装置が提案されている（特許文献１参照）。
しかし、該特許文献１に記載の表示装置は、表示器における表示パネルの表示画像を、ホログラムスクリーン上に結像させ回折させて目視者に視認させる際に、前記表示器の視認を防止することを目的とし、あくまでもホログラムスクリーンを用いた画像の表示への適用を対象としている。即ち、表示器を必要とすることなく、またホログラムスクリーンに画像を結像させない、透過型ホログラムの再生への適用については、何ら開示されていない。
また、仮に前記特許文献１に記載の表示装置と同様に、前記光制御部材を配置して透過型ホログラムに記録された光情報を再生した場合、前記光源（バックライト）そのものの形状の視認が防止される可能性はあるが、観察者の視認位置によっては、必ずしも所望の再生画像の奥側に透けて見える画像（不要な画像）の視認を防止することができるとは限らない。
【０００６】
したがって、前記透過型ホログラムの配置態様及び観察者の目視方向によって、適宜設計変更可能であり、角度依存性が小さく、不要な物体の視認を防止し、所望の再生画像のみをより鮮明に観察者に視認させることができる光再生装置及び光再生方法に関する技術の更なる開発が望まれている。
【０００７】
【特許文献１】特開平７−２３４３７２号公報
【発明の開示】
【発明が解決しようとする課題】
【０００８】
本発明は、従来における前記問題を解決し、以下の目的を達成することを課題とする。即ち、本発明は、ホログラフィを利用して情報が記録された光記録媒体、特に透過型ホログラムの再生時における、光源（バックライト）、再生画像の奥側に透けて見える画像等の不要な物体の視認を防止し、再生画像をより鮮明に観察者に視認させることができる光再生装置及び光再生方法を提供することを目的とする。
【課題を解決するための手段】
【０００９】
前記課題を解決するための手段としては、以下の通りである。即ち、
＜１＞  ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する記録情報再生手段と、前記再生光の光源と前記光記録媒体との間に位置する該再生光の光路上に配置され、かつ該光記録媒体に対して特定角度で入射する前記再生光を遮蔽する再生光遮蔽手段とを有することを特徴とする光再生装置である。
該＜１＞に記載の光再生装置においては、前記記録情報再生手段が、前記ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する。前記再生光遮蔽手段が、前記再生光の光源と前記光記録媒体との間に位置する該再生光の光路上に配置され、かつ該光記録媒体に対して特定角度で入射する前記再生光を遮蔽する。その結果、光源（バックライト）、再生画像の奥側に透けて見える画像等の不要な物体の視認を防止し、再生画像をより鮮明に観察者に視認させることができる。
＜２＞  光記録媒体が、透過型ホログラムである前記＜１＞に記載の光再生装置である。
＜３＞  再生光遮蔽手段が、並列配置された複数の遮光板からなる前記＜１＞から＜２＞のいずれかに記載の光再生装置である。
＜４＞  遮光板の枚数が、３枚以上である前記＜３＞に記載の光再生装置である。
＜５＞  一の遮光板と該一の遮光板と隣接する他の遮光板との間隔と、前記他の遮光板と該他の遮光板と隣接する遮光板との間隔とが、互いに略同一である前記＜４＞に記載の光再生装置である。
＜６＞  一の遮光板と該一の遮光板と隣接する他の遮光板との間隔と、前記他の遮光板と該他の遮光板と隣接する遮光板との間隔とが、互いに異なる前記＜４＞に記載の光再生装置である。
＜７＞  隣接する遮光板同士の配置間隔が、１μｍ〜１００ｍｍである前記＜５＞から＜６＞のいずれかに記載の光再生装置である。
＜８＞  遮光板の少なくとも１枚が、光記録媒体における厚み方向に対して傾斜配置された前記＜３＞から＜７＞のいずれかに記載の光再生装置である。
＜９＞  遮光板の光記録媒体における厚み方向に対する傾斜角が、±２０°より大きく、かつ±８０°以内である前記＜８＞に記載の光再生装置である。
＜１０＞  遮光板の光記録媒体における厚み方向に対する傾斜角が、±２０°以内である前記＜８＞に記載の光再生装置である。
＜１１＞  再生光遮蔽手段が、再生光を透過可能な透過部を少なくとも一部に有する一の遮光板からなり、該透過部が光記録媒体に対向するように、前記遮光板が配置された前記＜１＞から＜２＞のいずれかに記載の光再生装置である。
＜１２＞  遮光板が、再生光を透過可能な透過部を少なくとも一部に有する前記＜３＞から＜１０＞のいずれかに記載の光再生装置である。
＜１３＞  透過部が、透明基材からなる遮光板に形成されたパターンにおける開口部である前記＜１１＞から＜１２＞のいずれかに記載の光再生装置である。
＜１４＞  一の遮光板における開口部の水平断面形状と、該一の遮光板と隣接配置された他の遮光板における開口部の水平断面形状とが異なる前記＜１３＞に記載の光再生装置である。
＜１５＞  透過部が、遮光板の厚み方向に形成された貫通孔である前記＜１１＞から＜１２＞のいずれかに記載の光再生装置である。
＜１６＞  透過部の開口径が、１μｍ〜１０ｍｍである前記＜１３＞から＜１５＞のいずれかに記載の光再生装置である。
＜１７＞  透過部が、一定間隔で規則的に配列した前記＜１１＞から＜１６＞のいずれかに記載の光再生装置である。
＜１８＞  隣接する透過部同士の間隔が、１μｍ〜１００ｍｍである前記＜１７＞に記載の光再生装置である。
＜１９＞  一の遮光板における透過部の中心位置と、該一の遮光板と隣接配置された他の遮光板における透過部の中心位置とが、水平方向において略同一である前記＜１２＞から＜１８＞のいずれかに記載の光再生装置である。
＜２０＞  一の遮光板における透過部の中心位置と、該一の遮光板と隣接配置された他の遮光板における透過部の中心位置とが、水平方向において異なる前記＜１２＞から＜１８＞のいずれかに記載の光再生装置である。
＜２１＞  貫通孔の深さと開口径との比が、２以上である前記＜１５＞から＜２０＞のいずれかに記載の光再生装置である。
＜２２＞  再生光遮蔽手段が、ルーバーである前記＜１＞から＜１０＞のいずれかに記載の光再生装置である。
＜２３＞  遮光板の厚みが、１μｍ〜１００ｍｍである前記＜３＞から＜２２＞のいずれかに記載の光再生装置である。
＜２４＞  遮光板の表面粗さが、０．０１〜１０μｍである前記＜３＞から＜２３＞のいずれかに記載の光再生装置である。
＜２５＞  遮光板の色が、黒色である前記＜３＞から＜２４＞のいずれかに記載の光再生装置である。
＜２６＞  遮光板の光反射率が、０．０１〜１０％である前記＜３＞から＜２５＞のいずれかに記載の光再生装置である。
【００１０】
＜２７＞  ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する記録情報再生工程と、前記再生光の光源と前記光記録媒体との間に位置する該再生光の光路上にて、該光記録媒体に対して特定角度で入射する前記再生光を遮蔽する再生光遮蔽工程とを含むことを特徴とする光再生方法である。
該＜２７＞に記載の光再生方法では、前記記録情報再生工程において、前記ホログラフィを利用して情報を記録する記録層を備え、該記録層に情報光及び参照光を照射して干渉像を形成した光記録媒体の前記干渉像に対して、前記参照光と同じ再生光が照射されて、該干渉像に対応した記録情報が再生される。前記再生光遮蔽工程において、前記再生光の光源と前記光記録媒体との間に位置する該再生光の光路上にて、該光記録媒体に対して特定角度で入射する前記再生光が遮蔽される。その結果、光源（バックライト）、再生画像の奥側に透けて見える画像等の不要な物体の視認が防止され、再生画像がより鮮明に観察者に視認される。
＜２８＞  光記録媒体が、透過型ホログラムである前記＜２７＞に記載の光再生方法である。
＜２９＞  再生光の遮蔽が、該再生光の光源と光記録媒体との間に位置する該再生光の光路上に配置された再生光遮蔽手段により行われる前記＜２７＞から＜２８＞のいずれかに記載の光再生方法である。
＜３０＞  再生光遮蔽手段が、並列配置された複数の遮光板からなる前記＜２９＞に記載の光再生方法である。
＜３１＞  遮光板の枚数が、３枚以上である前記＜３０＞に記載の光再生方法である。
＜３２＞  一の遮光板と該一の遮光板と隣接する他の遮光板との間隔と、前記他の遮光板と該他の遮光板と隣接する遮光板との間隔とが、互いに略同一である前記＜３１＞に記載の光再生方法である。
＜３３＞  一の遮光板と該一の遮光板と隣接する他の遮光板との間隔と、前記他の遮光板と該他の遮光板と隣接する遮光板との間隔とが、互いに異なる前記＜３１＞に記載の光再生方法である。
＜３４＞  隣接する遮光板同士の配置間隔が、１μｍ〜１００ｍｍである前記＜３１＞から＜３３＞のいずれかに記載の光再生方法である。
＜３５＞  遮光板の少なくとも１枚が、光記録媒体における厚み方向に対して傾斜配置された前記＜３１＞から＜３４＞のいずれかに記載の光再生方法である。
＜３６＞  遮光板の光記録媒体における厚み方向に対する傾斜角が、±２０°より大きく、かつ±８０°以内である前記＜３５＞に記載の光再生方法である。
＜３７＞  遮光板の光記録媒体における厚み方向に対する傾斜角が、±２０°以内である前記＜３５＞に記載の光再生方法である。
＜３８＞  再生光遮蔽手段が、再生光を透過可能な透過部を少なくとも一部に有する一の遮光板からなり、該透過部が光記録媒体に対向するように、前記遮光板が配置された前記＜２９＞に記載の光再生方法である。
＜３９＞  遮光板が、再生光を透過可能な透過部を少なくとも一部に有する前記＜３０＞から＜３７＞のいずれかに記載の光再生方法である。
＜４０＞  透過部が、透明基材からなる遮光板に形成されたパターンにおける開口部である前記＜３８＞から＜３９＞のいずれかに記載の光再生方法である。
＜４１＞  一の遮光板における開口部の水平断面形状と、該一の遮光板と隣接配置された他の遮光板における開口部の水平断面形状とが異なる前記＜４０＞に記載の光再生方法である。
＜４２＞  透過部が、遮光板の厚み方向に形成された貫通孔である前記＜３８＞から＜３９＞のいずれかに記載の光再生方法である。
＜４３＞  透過部の開口径が、１μｍ〜１０ｍｍである前記＜４０＞から＜４２＞のいずれかに記載の光再生方法である。
＜４４＞  透過部が、一定間隔で規則的に配列した前記＜３８＞から＜４３＞のいずれかに記載の光再生方法である。
＜４５＞  隣接する透過部同士の間隔が、１μｍ〜１００ｍｍである前記＜４４＞に記載の光再生方法である。
＜４６＞  一の遮光板における透過部の中心位置と、該一の遮光板と隣接配置された他の遮光板における透過部の中心位置とが、水平方向において略同一である前記＜３９＞から＜４５＞のいずれかに記載の光再生方法である。
＜４７＞  一の遮光板における透過部の中心位置と、該一の遮光板と隣接配置された他の遮光板における透過部の中心位置とが、水平方向において異なる前記＜３９＞から＜４５＞のいずれかに記載の光再生方法である。
＜４８＞  貫通孔の深さと開口径との比が、２以上である前記＜４２＞から＜４７＞のいずれかに記載の光再生方法である。
＜４９＞  再生光遮蔽手段が、ルーバーである前記＜２９＞から＜３７＞のいずれかに記載の光再生方法である。
＜５０＞  遮光板の厚みが、１μｍ〜１００ｍｍである前記＜３０＞から＜４９＞のいずれかに記載の光再生方法である。
＜５１＞  遮光板の表面粗さが、０．０１〜１０μｍである前記＜３０＞から＜５０＞のいずれかに記載の光再生方法である。
＜５２＞  遮光板の色が、黒色である前記＜３０＞から＜５１＞のいずれかに記載の光再生方法である。
＜５３＞  遮光板の光反射率が、０．０１〜１０％である前記＜３０＞から＜５２＞のいずれかに記載の光再生方法である。
【発明の効果】
【００１１】
本発明によると、従来における前記諸問題を解決でき、ホログラフィを利用して情報が記録された光記録媒体、特に透過型ホログラムの再生時における、光源（バックライト）、再生画像の奥側に透けて見える画像等の不要な物体の視認を防止し、再生画像をより鮮明に観察者に視認させることができる光再生装置及び光再生方法を提供することができる。
【発明を実施するための最良の形態】
【００１２】
（光再生装置及び光再生方法）
本発明の光再生装置は、記録情報再生手段と、再生光遮蔽手段とを少なくとも有し、更に必要に応じて適宜選択した、その他の部材を有してなる。
本発明の光再生方法は、記録情報再生工程と、再生光遮蔽工程とを少なくとも含み、更に必要に応じて適宜選択した、その他の工程を含む。
前記記録情報再生工程は、前記記録情報再生手段により好適に行うことができ、前記再生光遮蔽工程は、前記再生光遮蔽手段により好適に行うことができる。このため、本発明の光再生方法は、本発明の前記光再生装置により好適に実施することができ、本発明の前記光再生装置を実施すると本発明の光再生方法を実施することとなる。
以下、本発明の光再生装置について詳細に説明すると共に、その説明を通じて本発明の前記光再生方法の内容をも明らかにする。
【００１３】
＜記録情報再生手段及び記録情報再生工程＞
前記記録情報再生手段は、ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する機能を有し、前記再生光を出射する光源を少なくとも有してなる。
前記記録情報再生工程は、ホログラフィを利用して情報を記録する記録層を備え、該記録層に情報光及び参照光を照射して干渉像を形成した光記録媒体の前記干渉像に対して、前記参照光と同じ再生光を照射して、該干渉像に対応した記録情報を再生する工程である。
前記記録情報再生工程は、前記記録情報再生手段により好適に行うことができる。
【００１４】
−情報光及び参照光−
前記情報光及び前記参照光としては、特に制限はなく、目的に応じて適宜選択することができ、例えば、これらの光源としては、レーザ、ＬＥＤなどが好適に挙げられ、明るいキセノンランプ、メタルハライドランプ等の白色光源も好適に使用することができる。
前記レーザから出射されるレーザ光としては、特に制限はなく、目的に応じて適宜選択することができ、例えば、波長が、３６０〜８５０ｎｍから選択される１種以上の波長からなるレーザ光などが挙げられる。前記波長は、３８０〜８００ｎｍが好ましく、４００〜７５０ｎｍがより好ましく、可視領域の中心が最も見え易い点で、５００〜６００ｎｍが最も好ましい。
前記波長が、３６０ｎｍ未満であると、光学系の設計が困難になることがあり、８５０ｎｍを超えると、記録容量が少なくなることがある。
【００１５】
前記情報光及び前記参照光の照射方法としては、特に制限はなく、目的に応じて適宜選択することができ、例えば、同一の光源から出射される一のレーザ光などを分割して、該情報光及び該参照光として照射してもよいし、異なる光源から出射される二つのレーザ光などを照射してもよい。
前記情報光（物体光）と前記参照光とを前記光記録媒体の内部で干渉させ、その際に生成される干渉像（干渉縞）を前記光記録媒体に書き込むことによって前記情報が記録される。
【００１６】
−光記録媒体−
前記光記録媒体としては、特に制限はなく、目的に応じて適宜選択することができ、例えば、支持体上に、ホログラフィを利用して情報を記録する記録層を少なくとも有し、更に必要に応じて適宜選択したその他の層を有してなるものが挙げられる。
前記光記録媒体は、２次元などの情報を記録する比較的薄型の平面ホログラムであってもよいし、立体像など多量の情報を記録する体積ホログラムであってもよい。
前記光記録媒体は、反射型であってもよいし、透過型であってもよいが、本発明における不要な物体の視認防止効果が顕著となる点で、透過型であるのが好ましい。
また、ホログラムの記録方式としては、例えば、振幅ホログラム、位相ホログラム、ブレーズドホログラム、複素振幅ホログラムなど、いずれの態様であってもよい。
【００１７】
前記記録層は、ホログラフィを利用して情報が記録され得るものであり、所定の波長の電磁波（γ線、Ｘ線、紫外線、可視光線、赤外線、電波など）を照射すると、その強度に応じて吸光係数や屈折率などの光学特性が変化する材料により形成される。
前記記録層の材料としては、特に制限はなく、目的に応じて適宜選択することができ、例えば、光熱変換材料、感光性樹脂、バインダーなどが挙げられ、更に必要に応じて適宜選択したその他の成分を含んでいてもよい。
【００１８】
前記記録層の厚みとしては、特に制限はなく、目的に応じて適宜選択することができるが、１〜１，０００μｍが好ましく、１００〜７００μｍがより好ましい。
前記記録層の厚みが、前記好ましい数値範囲であると、充分なＳ／Ｎ比を得ることができる点で有利である。
【００１９】
−再生光−
前記再生光は、前記参照光と同一の光であり、前記参照光の詳細については、上述した通りである。
前記再生光としては、公知の光源から照射される光を好適に使用することができる。
前記再生光を出射する光源としては、前記干渉像の形成に使用した前記参照光の波長域を含む波長の光を照射可能な光源であるのが好ましく、例えば、レーザ、ＬＥＤなどが好適に挙げられる。また、明度の高いキセノンランプ、メタルハライドランプ等の白色光源を用いることもできる。
【００２０】
前記再生光の照射方法としては、特に制限はなく、目的に応じて適宜選択することができるが、前記参照光の照射と同様な方法により行うのが好ましい。例えば、平行光により前記参照光を照射した場合には、平行光の前記再生光を照射するのが好ましく、点光源を用いて前記参照光を照射した場合には、点光源を用いて前記再生光を照射するのが好ましい。
前記再生光を前記干渉像に照射することにより、該干渉像に対応した記録情報として、前記記録層内部に形成された光学特性分布に対応した強度分布を有する回折光が生成され、該干渉像に基づいて記録情報を再生することができる。
【００２１】
＜再生光遮蔽手段及び再生光遮蔽工程＞
前記再生光遮蔽手段は、前記再生光の光源と前記光記録媒体との間に位置する該再生光の光路上に配置される。また、該光記録媒体に対して特定角度で入射する前記再生光を遮蔽する機能を有する。
前記再生光遮蔽工程は、前記再生光の光源と前記光記録媒体との間に位置する該再生光の光路上にて、該光記録媒体に対して特定角度で入射する前記再生光を遮蔽する工程である。
また、前記再生光遮蔽工程における前記再生光の遮蔽は、前記再生光遮蔽手段により好適に行うことができる。
【００２２】
前記再生光遮蔽手段としては、前記光記録媒体に対して特定角度で入射する前記再生光を遮蔽することができる限り特に制限はなく、目的に応じて適宜選択することができるが、（１）並列配置された複数の遮光板からなるもの、（２）更に、該（１）における遮光板が、前記再生光を透過可能な透過部を少なくとも一部に有しているもの、（３）再生光を透過可能な透過部を少なくとも一部に有する一の遮光板からなり、該透過部が前記光記録媒体に対向するように、前記遮光板が配置されたもの、などが好適に挙げられる。
【００２３】
−遮光板−
前記遮光板としては、その形状、構造、大きさ、厚み、材料（材質）、表面性状、色彩などについては特に制限はなく、目的に応じて適宜選択することができる。
前記形状としては、板状が好ましい。前記構造としては、単層構造であってもよいし、積層構造であってもよい。
【００２４】
前記厚みとしては、特に制限はなく、前記遮光板の大きさに応じて適宜選択することができるが、前記遮光板に後述する貫通孔を形成する場合、前記遮光板が大きいと、自重により歪み、一の遮光板における前記貫通孔と、該一の遮光板に隣接する他の遮光板における前記貫通孔との位置関係がずれてしまい、前記再生光の遮蔽機能を充分に発揮することができないため、厚くするのが好ましい。一方、前記遮光板の厚みが厚過ぎると、前記遮光板の重量が増加し、取扱性が低下するほか、歪みの発生の原因となることがあるため、前記遮光板の大きさに応じて適度な厚みに設けるのが好ましい。
なお、前記厚みは、前記透過部が後述する貫通孔である場合には、前記遮光板そのものの厚みを意味し、前記透過部が後述する透明基材からなる遮光板に形成されたパターンにおける開口部である場合には、前記透明基材の厚みを意味する。
【００２５】
前記厚みは、具体的には、例えば、前記遮光板の主面の形状が正方形であり、かつ該主面における対角線が１００ｍｍの場合、１μｍ〜１０ｍｍが好ましい。この場合、前記厚みの下限値としては、１０μｍがより好ましく、１００μｍが更に好ましく、上限値としては、５ｍｍがより好ましく、２ｍｍが更に好ましい。また、前記対角線が１，０００ｍｍの場合、１０μｍ〜１００ｍｍが好ましい。この場合、前記厚みの下限値としては、１００μｍがより好ましく、１ｍｍが更に好ましく、上限値としては、５０ｍｍがより好ましく、２０ｍｍが更に好ましい。
なお、前記遮光板の大きさが異なる場合には、これらに比例する数値範囲内で厚みを設定するのが好ましい。
また、前記遮光板の主面の形状が正方形以外の場合、例えば、長方形である場合には、対角線そのものを、菱形である場合には、長い対角線と短い対角線との平均を、対角線を規定することができない形状の場合には、同じ面積を有する円を仮定したときの直径を、それぞれ基準として、厚みを設定することができる。
【００２６】
前記材料（材質）としては、形状を維持することができるものであれば特に制限はなく、適宜選択することができ、例えば、アルミニウム、銅、ステンレス、鉄等の金属、ガラス、陶器、木材、紙、プラスチックなどが挙げられる。
また、前記遮光板が、後述する透明基材からなる場合には、透明プラスチック、ガラスなどが好適に挙げられる。なお、光の表面反射を防止し、透過性を向上させるため、前記透明基材表面に対して反射防止処理を行うのが好ましい。
ここで、前記プラスチックの材料としては、例えば、ポリカーボネート、ＰＥＴ、ＴＡＣ、ＰＭＭＡ、塩化ビニルなどが好適に挙げられる。
【００２７】
前記表面性状としては、例えば、表面粗さが、０．０１〜１０μｍであるのが好ましく、０．１〜５μｍであるのがより好ましい。
前記表面粗さが、０．０１μｍ未満であると、表面反射が大きくなり、視覚効果的に見難くなることがあるほか、表面が平滑であるため、種々の物質が表面に貼り付き易くなることがあり、１０μｍを超えると、画像に艶がなくなることがある。
また、例えば、表面における光反射率が、０．０１〜１０％であるのが好ましく、０．１〜５％であるのがより好ましい。
前記光反射率が、０．０１％未満であると、前記遮光板の作製に際し、複雑な反射防止層の形成が必要となりコスト高となるほか、光照射による耐久性が低下することがあり、１０％を超えると、表面反射の影響により、視覚効果的に見難くなることがある。
【００２８】
前記色彩としては、前記遮光板が前記再生光を吸収し、該再生光を効果的に遮蔽可能な点で、黒色が好ましく、艶消し状の黒色がより好ましい。前記色彩は、前記遮光板そのものの色であってもよいし、前記遮光板に対して塗装、加工などを行うことにより付した色であってもよい。
【００２９】
−−透過部−−
前記透過部としては、前記光記録媒体に一定角度で照射される前記再生光のみを透過可能である限り特に制限はなく、その形状、構造、大きさなどについては、適宜選択することができる。
前記形状としては、例えば、その水平断面形状として、四角形、三角形、五角形等の多角形、星型、円形、楕円形、これらの組合せ、などが挙げられ、これらの具体例を、図１に示す。これらの形状は、１種単独で使用してもよいし、２種以上を併用してもよい。
前記形状が円形であると、角度依存のない透過率分布が得られる。また、前記多角形、星型等の角を有する形状であると、該角の存在する方向に対する開口が拡がるため、該方向に対する角度選択性を緩和することができる。更に、前記形状において、水平方向の長さ（ｘ）と垂直方向の長さ（ｙ）とを変化させると、特定の方向に対しては角度選択性が厳しくなり、これとは異なる方向に対しては角度選択性が緩和され、角度選択性の制御を行うことができる。
また、前記透過部の端部には、Ｒを施したり、面取りを行ってもよい。この場合、角度選択性を緩和することができる。
【００３０】
前記透過部は、一定間隔で規則的に配列していてもよいし、ランダムに配置していてもよく、その配置態様としては、例えば、格子状、千鳥状、ランダム状、変則状などが挙げられる。
前記透過部の配置態様の一例としては、例えば、図２に示す態様が好適に挙げられる。
前記透過部が、一定間隔で規則的に配列している場合、隣接する透過部同士の間隔（ピッチ）としては、特に制限はなく、目的に応じて適宜選択することができるが、１μｍ〜１００ｍｍが好ましく、１０μｍ〜１０ｍｍがより好ましい。
前記隣接する透過部同士の間隔（ピッチ）が、１μｍ未満であると、前記透過部の大きさが小さ過ぎるため、精度よく作製するのが困難になることがあり、１００ｍｍを超えると、非常に大きなホログラム画像が必要となり、該ホログラム画像が大きくなることによる取扱性の低下、及びコスト高を招くことがある。
【００３１】
前記透過部の構造としては、前記遮光板の厚み方向に形成された貫通孔であってもよいし、透明基材からなる遮光板に形成されたパターンにおける開口部であってもよい。
前記パターンの形成は、通常のパターニングにより行うことができ、例えば、クロム等によるエッチング、インクジェットによるパターン印画、電子写真装置によるトナーの付着、などが挙げられる。
【００３２】
前記透過部の大きさとしては、例えば、開口径が、１μｍ〜１０ｍｍであるのが好ましく、１０μｍ〜１ｍｍであるのがより好ましい。
前記開口径が、１μｍ未満であると、該開口径の大きさが小さ過ぎるため、精度よく作製するのが困難になることがあり、１０ｍｍを超えると、非常に大きなホログラム画像が必要となり、該ホログラム画像が大きくなることによる取扱性の低下、及びコスト高を招くことがある。
【００３３】
前記透過部が、前記貫通孔である場合、前記貫通孔の深さと開口径との比（アスペクト比：深さ／開口径）としては、２以上が好ましく、２〜１００がより好ましく、４〜２０が更に好ましい。
前記アスペクト比が、２未満であると、ルーバー効果（再生光遮蔽効果）殆ど得られないことがある。また、前記アスペクト比が、１００を超えると、前記再生光のロスが大きくなり過ぎることがある。
【００３４】
前記再生光遮蔽手段の一例である、上記（１）並列配置された複数の遮光板からなるもの、としては、例えば、図３Ａ及び図３Ｂに示す態様が好適に挙げられる。
図３Ａに示す再生光遮蔽手段２０においては、複数の遮光板２２が、光記録媒体１０の主面に対して垂直方向に並列配置されている。そして、光源（バックライト）１２から再生光Ｒが、光記録媒体１０に対して照射されると、再生光遮蔽手段２０に対して垂直方向から入射する再生光Ｒのみが、遮光板２２同士の間を通過し、斜め方向から入射する再生光Ｒは、遮光板２２により遮蔽される。その結果、再生光Ｒが、光記録媒体１０に対して垂直方向にのみ照射されて回折光Ｄが生成され、光記録媒体１０に対して斜め方向から目視する観察者には、光源１２、再生画像の奥側に透けて見える画像等の不要な物体が視認されない。
また、図３Ｂに示すように、複数の遮光板２２は、光記録媒体１０における厚み方向に対して傾斜配置されていてもよい。この場合、光源（バックライト）１２からの再生光Ｒが、光記録媒体１０に照射されると、再生光遮蔽手段２０に対して斜め方向から入射する再生光Ｒのみが、遮光板２２同士の間を通過し、垂直方向から入射する再生光Ｒは、遮光板２２により遮蔽される。その結果、再生光Ｒが、光記録媒体１０における厚み方向に対して斜めからのみ照射されて回折光Ｄが生成され、光記録媒体１０に対して垂直方向から目視する観察者には、光源１２、再生画像の奥側に透けて見える画像等の不要な物体が視認されない。
【００３５】
ここで、前記光記録媒体を、机、床等に載置することにより、前記再生光を前記光記録媒体に対して垂直方向から照射し、かつ前記光記録媒体に対して斜め方向から観察者が目視する場合（例えば、図３Ａに示す態様であり、該光記録媒体を、以下、「Ｈホログラム」と称することがある。）、前記遮光板の前記光記録媒体における厚み方向に対する傾斜角としては、±２０°以内であるのが好ましく、０°（略垂直）であるのがより好ましい。
前記傾斜角が、±２０°を超えると、前記光源（バックライト）を視認してしまうことがある。
【００３６】
また、前記光記録媒体を、壁に掛けたり、写真立て状のものに設置したりすることにより、前記再生光を前記光記録媒体に対して斜め方向から照射し、かつ前記光記録媒体に対して略垂直方向から観察者が目視する場合（例えば、図３Ｂに示す態様であり、該光記録媒体を、以下、「Ｖホログラム」と称することがある。）、前記遮光板の前記光記録媒体における厚み方向に対する傾斜角（図３Ｂにおけるθ）としては、±２０°より大きく、かつ±８０°以内であるのが好ましい。
前記傾斜角が、±２０°以内であると、前記光記録媒体（画像）を直視した場合、前記光源（バックライト）を視認してしまうことがあり、±８０°を超えると、前記光記録媒体における前記支持体の表面反射により、前記光記録媒体に照射する前記再生光の光量が低減することがある。
【００３７】
前記（１）の再生光遮蔽手段における、前記遮光板の枚数としては、特に制限はなく、前記光記録媒体の幅に応じて適宜選択することができる。
隣接する前記遮光板同士の配置間隔としては、前記光記録媒体に対して特定角度で入射する前記再生光を遮断しつつ、該特定角度以外から入射する前記再生光を選択的に通過可能である限り特に制限はなく、目的に応じて適宜選択することができ、一の遮光板と該一の遮光板と隣接する他の遮光板との間隔と、前記他の遮光板と該他の遮光板と隣接する遮光板との間隔とは、互いに同一であってもよいし、異なっていてもよいが、特定角度で入射する前記再生光を均一に遮蔽することができる点で、互いに同一であるのが好ましい。
この場合、前記遮光板同士の配置間隔としては、例えば、１μｍ〜１００ｍｍが好ましく、１０μｍ〜１０ｍｍがより好ましい。
前記配置間隔が、１μｍ未満であると、該配置間隔が狭過ぎるため、前記遮光板を精度よく配置するのが困難になることがあり、１００μｍを超えると、非常に大きなホログラム画像が必要となり、該ホログラム画像が大きくなることによる取扱性の低下、及びコスト高を招くことがある。
【００３８】
このような再生光遮蔽手段の具体例としては、例えば、ルーバー、窓用ブラインド等の形状を有するもの、などが好適に挙げられる。なお、窓用ブラインドの形状を有するものの場合、各フィンが充分な硬度を有していれば、通常の窓用ブラインドのように、各フィンの形状を丸くする必要はなく、直線状のフィンを好適に使用することができる。
【００３９】
前記再生光遮蔽手段の一例である、上記（２）並列配置された複数の遮光板が、更に前記再生光を透過可能な透過部を少なくとも一部に有しているもの、としては、例えば、図４Ａ及び図４Ｂに示す態様が好適に挙げられる。なお、図４Ａは、前記再生光遮蔽手段の上面図を表し、図４Ｂは、前記再生光遮蔽手段の断面図を表す。
図４Ａ及び図４Ｂに示す再生光遮蔽手段３０においては、遮光板３２には、該遮光板３２の厚み方向に複数の前記透過部としての貫通孔３４が形成されており、該貫通孔３４は、一定間隔で規則的に配列している。そして、２枚の遮光板３２が、光記録媒体１０の主面に対して平行に並列配置され、一の遮光板３２Ａにおける貫通孔３４Ａの中心位置と、該一の遮光板３２Ａと隣接配置された他の遮光板３２Ｂにおける貫通孔３４Ｂの中心位置とが、水平方向において略同一となるように配設されている。この場合、部分的に前記再生光を通過させ、部分的に前記再生光を遮蔽することができる。そして、図４Ｂに示すように、一の遮光板３２Ａに対して真っ直ぐ進行する再生光Ｒ１は、貫通孔３４Ａ及び３４Ｂを通過して、光記録媒体１０に照射される。一方、一の遮光板３２Ａに対して斜め方向から入射する再生光Ｒ２は、貫通孔３４Ａを通過した後、他の遮光板３２Ｂにおける貫通孔３４Ｂ以外の部位により遮蔽される。なお、再生光Ｒ３のように、入射角が大き過ぎると、他の遮光板３２Ｂにおける貫通孔３４Ｂと隣接する貫通孔３４Ｂを通過してしまう場合がある。
【００４０】
そこで、前記再生光が前記透過部（前記貫通孔）を透過（通過）する条件を、図５を用いて説明する。図５に示すように、一の遮光板３２Ａにおける、貫通孔３４ＡのピッチをＰ１、貫通孔３４Ａの開口径をＷ１、一の遮光板３２Ａの厚みをｔ１とし、一の遮光板３２Ａに隣接して配置された他の遮光板３２Ｂにおける、貫通孔３４ＢのピッチをＰ２、貫通孔３４Ｂの開口径をＷ２、他の遮光板３２Ｂの厚みをｔ２とする。そして、再生光Ｒの入射面における貫通孔３４Ａの中心から通過する再生光Ｒの角度をθとすると、下記式（１）〜（３）により、それぞれ再生光Ｒの透過状態を規定することができる。
ｔａｎθ≦（Ｗ２／２）／（ｔ１＋Ｄ＋ｔ２）・・・式（１）
（Ｗ２／２）／（ｔ１＋Ｄ＋ｔ２）＜ｔａｎθ＜（Ｐ２−Ｗ２／２）／（ｔ１＋Ｄ）・・・式（２）
（Ｐ２−Ｗ２／２）／（ｔ１＋Ｄ）≦ｔａｎθ≦（Ｐ２＋Ｗ２／２）／（ｔ１＋Ｄ＋ｔ２）・・・式（３）
ただし、前記式（３）において、ｔａｎθ≦（Ｗ１／２）／ｔ１、（Ｐ２＋Ｗ２／２）／（ｔ１＋Ｄ＋ｔ２）≧（Ｐ２−Ｗ２／２）／（ｔ１＋Ｄ）である。
【００４１】
前記再生光の入射角θが、前記式（１）を充たす場合、一の遮光板３２Ａにおける貫通孔３４Ａに対して略垂直に入射した再生光Ｒが、他の遮光板３２Ｂにおける貫通孔３４Ｂを垂直方向に通過する。
再生光Ｒの入射角θが、前記式（２）を充たす場合、一の遮光板３２Ａにおける貫通孔３４Ａに対して斜め方向から入射した再生光Ｒが、他の遮光板３２Ｂにおける貫通孔３４Ｂ以外の部位により遮蔽される。
再生光Ｒの入射角θが、前記式（３）を充たす場合、一の遮光板３２Ａにおける貫通孔３４Ａに対して略垂直方向に入射した再生光Ｒは、他の遮光板３２Ｂにおける貫通孔３４Ｂを垂直方向に通過し、一の遮光板３２Ａにおける貫通孔３４Ａに対して斜め方向から入射した再生光Ｒは、他の遮光板３２Ｂにおける貫通孔３４Ｂを斜め方向に通過する。即ち、前記入射角θが、前記式（３）の条件を充たす場合、本来通過させたい垂直光だけでなく、斜め方向から入射する光をも通過させてしまう。前記光記録媒体（ホログラム）を目視する範囲が限られている場合には、このような垂直方向から離れた一部の前記再生光が通過しても構わないが、前記ホログラムを目視する方向の傾斜角が大きい場合には、前記式（３）を充たさないように設計するのが好ましい。即ち、前記式（３）において、前記入射角θが、
ｔａｎθ＞（Ｗ１／２）／ｔ１、
及び（Ｐ２＋Ｗ２／２）／（ｔ１＋Ｄ＋ｔ２）＜（Ｐ２−Ｗ２／２）／（ｔ１＋Ｄ）、の少なくともいずれかを充たすように設計するのが好ましい。
【００４２】
また、前記遮光板の枚数としては、複数である限り特に制限はなく、目的に応じて適宜選択することができるが、前記透過部に対して入射角の大きい前記再生光を効果的に遮蔽することができる点で、３枚以上であるのが好ましい。
【００４３】
また、隣接する前記遮光板同士の配置間隔としては、特に制限はなく、目的に応じて適宜選択することができ、一の遮光板と該一の遮光板と隣接する他の遮光板との間隔と、前記他の遮光板と該他の遮光板と隣接する遮光板との間隔とは、互いに同一であってもよいし、異なっていてもよいが、入射角の大きな前記再生光を確実に遮蔽することができる点で、互いに異なっているのが好ましい。
即ち、例えば、図６に示すように、前記透過部としての貫通孔を有する遮光板を３枚、隣接する遮光板同士の配置間隔が異なるように並列配置させる。ここで、第１の遮光板３２Ａと第２の遮光板３２Ｂとの間隔Ｄ１２は、第２の遮光板３２Ｂと第３の遮光板３２Ｃとの間隔Ｄ２３よりも大きくなるように配置されている。
この場合、第１の遮光板３２Ａにおける貫通孔３４Ａに対して垂直に入射した再生光Ｒ１は、第２の遮光板３２Ｂ及び第３の遮光板３２Ｃにおける貫通孔３４Ｂ及び３４Ｃを垂直に通過する。また、第１の遮光板３２Ａにおける貫通孔３４Ａに対して斜め方向から入射した再生光Ｒ２は、第２の遮光板３２Ｂにおける貫通孔３４Ｂ以外の部位により遮蔽される。更に、第１の遮光板３２Ａにおける貫通孔３４Ａに対して、再生光Ｒ２よりも大きな角度で入射した再生光Ｒ３は、第２の遮光板３２Ｂにおける貫通孔３４Ｂに対して斜め方向から入射し、該貫通孔３４Ｂを通過するものの、第３の遮光板３２Ｃにおける貫通孔３４Ｃ以外の部位により遮蔽される。その結果、前記光記録媒体（ホログラム）に対して垂直方向に入射する再生光Ｒ１のみを通過させ、斜め方向から入射する再生光Ｒ２及びＲ３を効果的に遮蔽することができる。
【００４４】
また、図７に示すように、一の遮光板３２Ａにおける、隣接する透過部（貫通孔）同士の距離（貫通孔３４ＡのピッチＰ１）と、他の遮光板３２Ｂにおける、隣接する透過部（貫通孔）同士の距離（貫通孔３４ＢのピッチＰ２）とは、互いに異なっていてもよい。この場合、一の遮光板３２Ａにおける貫通孔３４Ａの中心位置と、該一の遮光板３２Ａと隣接配置された他の遮光板３２Ｂにおける貫通孔３４Ｂの中心位置とが、水平方向において異なり、他の遮光板３２Ｂにおける貫通孔３４Ｂを通過した再生光Ｒを１点に集中させることができる。
【００４５】
上述した態様は、主に、前記Ｈホログラムに対して観察者が斜め方向から目視する場合であり、垂直方向から入射する前記再生光を対象として、該再生光を前記透過部から透過させることを目的としたが、前記Ｖホログラムに対して観察者が垂直方向から目視する場合には、斜め方向から入射する前記再生光のみを対象として、該再生光を前記透過部から透過させることを目的とし、例えば、以下に示す態様が好適に挙げられる。
【００４６】
例えば、図８に示すように、前記遮光板の少なくとも１枚は、光記録媒体における厚み方向に対して傾斜配置されていてもよい。２枚の前記遮光板を配置する場合、前記光源側に、前記一の遮光板を前記光記録媒体に対して平行となるように配置し、前記光記録媒体側に、前記他の遮光板を前記光記録媒体における厚み方向に対して傾斜配置させると、前記再生光が前記透過部（前記貫通孔）を透過する角度範囲を、垂直方向に対して対称な範囲からずらすことができる。即ち、一の遮光板３２Ａにおける貫通孔３４Ａを通過し、他の遮光板３２Ｂにおける貫通孔３４Ｂに入射する前記再生光においては、垂直方向から入射した再生光Ｒ１に対して、一方の側（図８では左側）に進行する再生光Ｒ２は、貫通孔３４Ｂを通過し易いが、再生光Ｒ１に対して、他方の側（図８では右側）に進行する再生光Ｒ３は、貫通孔３４Ｂを通過し難くなる。このため、前記遮光板の傾斜角を適宜選択することにより、前記再生光の遮蔽を効果的に行うことができる。
【００４７】
また、前記一の遮光板における透過部の中心位置と、該一の遮光板と隣接配置された他の遮光板における透過部の中心位置とは、水平方向において異なっていてもよい。例えば、図９に示すように、一の遮光板３２Ａと、他の遮光板３２Ｂとを、それぞれにおける透過部（貫通孔）３４Ａ及び３４Ｂの中心位置同士がずれるように配置すると、再生光Ｒが貫通孔３４Ａ及び３４Ｂを通過する角度範囲を、垂直方向に対して対称な範囲からずらすことができる。その結果、垂直方向から入射した再生光Ｒ１を、他の遮光板３２Ｂにおける貫通孔３４Ｂ以外の部位により遮蔽し、比較的大きな角度で入射した再生光Ｒ２を、一の遮光板３２Ａにおける貫通孔３４Ａ以外の部位により遮蔽し、斜め方向から特定角度（再生光Ｒ２の入射角度よりも小さい角度）で入射した再生光Ｒ３のみを、他の遮光板３２Ｂにおける貫通孔３４Ｂを通過させることができる。
【００４８】
更に、前記一の遮光板における透過部の水平断面形状と、該一の遮光板と隣接配置された他の遮光板における透過部の水平断面形状とを異ならせることにより、斜め方向から前記透過部に入射する再生光のみを透過させることができる。例えば、図１０に示すように、前記透明基材からなる一の遮光板３２Ａに、円形のパターンを形成することにより透過部３５Ａを形成し、前記透明基材からなる他の遮光板３２Ｂに、ドーナツ型の二重円のパターンを形成することにより透過部３５Ｂを形成し、これらの遮光板３２Ａ及び３２Ｂを、前記光記録媒体（ホログラム）の主面に対して平行となるように並列配置させる。すると、前記再生光のうち、直進光は、一の遮光板３２Ａにおける透過部３５Ａを透過した後、他の遮光板３２Ｂにおけるドーナツ型の透過部３５Ａの内側に位置する遮蔽部Ｓにより遮蔽される。一方、前記再生光のうち、斜め方向から入射した光は、他の遮光板３２Ｂにおけるドーナツ型の透過部３５Ｂから透過する。このため、斜め方向から入射した前記再生光のみの透過を実現することができる。なお、透過する再生光Ｒ２の軌跡は、円錐面となる。
【００４９】
同様に、前記二重パターンからなる透過部（前記パターンにおける開口部に相当）は、一の遮光板を用いて形成してもよい。例えば、図１１に示すように、前記透明基材からなる１枚の遮光板３６の一方の主面（裏面）に、円形のパターンを形成することにより透過部３６Ａを形成し、遮光板３６の他方の主面（表面）に、ドーナツ型の二重円のパターンを形成することにより透過部３６Ｂを形成する。そして、遮光板３６における透過部３６Ｂが形成された面（表面）を、前記光記録媒体に対向配置する。この場合、遮光板３６における透過部３６Ｂの内部に位置する遮蔽部Ｓにより、前記再生光のうち、直進光Ｒ１が遮蔽され、一定角度で斜め方向から入射する再生光Ｒ２のみを透過させることができる。なお、透過する再生光Ｒ２の軌跡は、円錐面となる。また、図１１に示す態様は、上記（３）に記載の前記再生光遮蔽手段に相当する。
【００５０】
更に、前記再生光遮蔽手段の一例である、上記（３）再生光を透過可能な透過部を少なくとも一部に有する一の遮光板からなり、該透過部が前記光記録媒体に対向するように、前記遮光板が配置されたもの、としては、例えば、図１２Ａに示す斜視図及び図１２Ｂに示す断面図に表す態様が好適に挙げられる。
図１２Ａ及び図１２Ｂに示す再生光遮蔽手段４０においては、遮光板４２の厚み方向に、前記透過部としての貫通孔４２Ａが多数形成された１枚の遮光板４２が、該貫通孔４２Ａが前記光記録媒体１０の主面に対向するように配置されている。この場合、前記透過部（貫通孔）に対して垂直方向から入射した前記再生光のみを透過し、貫通孔に対して斜め方向から入射する再生光を遮蔽することができ、前記Ｈホログラムに好適に使用することができる。
なお、遮光板４２の厚みは、前記（１）の態様における遮光板３２に比して、大きく設定するのが好ましい。
【００５１】
本発明の光再生装置及び光再生方法によれば、透過型ホログラムの再生時における、光源（バックライト）、再生画像の奥側に透けて見える画像等の不要な物体の視認を防止し、再生画像をより鮮明に視認することができる。このため、ホログラムを用いた各種表示装置、街頭広告、店頭広告などのおける３Ｄ画像の再生に好適に使用することができる。
【実施例】
【００５２】
以下、本発明の実施例について説明するが、本発明は下記実施例に何ら限定されるものではない。
【００５３】
（実施例１）
＜光記録媒体への情報の記録＞
前記光記録媒体としてのホログラム用銀塩フィルムに対して、情報光及び参照光を照射し、光記録媒体における記録層に情報を干渉像として書込みした。なお、参照光の照射は、光記録媒体に対して入射角４５°で行った。
【００５４】
＜記録情報の再生＞
図３Ｂに示すように、机上に、前記書込みがなされた光記録媒体（透過型ホログラム）１０を垂直に載置した。次いで、光源（バックライト）１２と透過型ホログラム１０との間に位置する再生光Ｒの光路上に、前記再生光遮蔽手段としてのルーバー２０を配置した。
ここで、ルーバー２０は、黒色の紙を材料として用い、厚みが１０ｍｍとなるように作製した、複数の前記遮光板としてのフィンを、配置間隔１０ｍｍで、透過型ホログラム１０の厚み方向に対して傾斜角θ＝４５°で傾斜させて並列配置させて形成した。
次いで、前記記録情報再生手段における前記再生光を出射する光源としてのバックライト１２として、キセノンランプを用い、透過型ホログラム１０に、参照光と同じ再生光Ｒを、参照光と同じ方向、即ち、透過型ホログラム１０に対して入射角４５°で照射し、記録されている干渉像から回折光（再生画像）Ｄを生成した。そして、透過型ホログラム１０に対して水平方向から目視した。その結果、バックライト及び再生画像の奥側の景色は視認されず、再生画像のみを鮮明に見ることができた。
【００５５】
（比較例１）
実施例１において、ルーバーを設けなかった以外は、実施例１と同様にして、透過型ホログラムに記録された情報の再生を行い、再生画像を目視した。
その結果、図１４Ｂに示すように、再生画像（ハート型のホログラム像）の奥側に背景（月型の画像）が視認され、また、バックライトの形状が明るく見え、再生画像を鮮明に見ることができなかった。
【００５６】
（実施例２）
前記光記録媒体としてのホログラム用銀塩フィルムに対して、情報光及び参照光を照射し、光記録媒体における記録層に情報を干渉像として書込みした。なお、参照光の照射は、光記録媒体に対して垂直方向から行った。
【００５７】
＜記録情報の再生＞
図３Ａに示すように、前記書込みがなされた光記録媒体（透過型ホログラム）１０を水平に配置した。次いで、光源（バックライト）１２と透過型ホログラム１０との間に位置する再生光Ｒの光路上に、前記再生光遮蔽手段としてのルーバー２０を配置した。
ここで、ルーバー２０は、黒色の紙を材料として用い、厚みが１０ｍｍとなるように作製した、複数の前記遮光板としてのフィン２２を、配置間隔１０ｍｍで、透過型ホログラム１０に対して垂直となるように並列配置させて形成した。
次いで、前記記録情報再生手段における前記再生光を出射する光源としてのバックライト１２として、キセノンランプを用い、透過型ホログラム１０に、参照光と同じ再生光Ｒを、参照光と同じ方向、即ち、透過型ホログラム１０に対して垂直方向から照射し、記録されている干渉像から回折光（再生画像）Ｄを生成した。そして、透過型ホログラム１０の厚み方向に対して斜め４５°から目視した。その結果、バックライト及び再生画像の奥側の景色は視認されず、再生画像のみを鮮明に見ることができた。
【００５８】
（比較例２）
実施例２において、ルーバーを設けなかった以外は、実施例２と同様にして、透過型ホログラムに記録された情報の再生を行い、再生画像を目視した。
その結果、図１５Ｂに示すように、再生画像（ハート型のホログラム像）の奥側に背景（月型の画像）が視認され、また、バックライトの形状が明るく見え、再生画像を鮮明に見ることができなかった。
【００５９】
（実施例３）
実施例２において、前記再生光遮蔽手段としてのルーバーを、図１３に示す再生光遮蔽手段に変えた以外は、実施例２と同様にして、透過型ホログラムに記録された情報の再生を行い、再生画像を目視する。
【００６０】
実施例３における再生光遮蔽手段５０は、図１３に示すように、並列配置された２枚の遮光板５２からなり、該遮光板５２の厚み方向には、それぞれ前記透過部としての貫通孔５４が、一定間隔で規則的に配列するように形成されている。また、一の遮光板５２Ａにおける貫通孔５４Ａの中心位置と、該一の遮光板５２Ａと隣接配置された他の遮光板５２Ｂにおける貫通孔５４Ｂの中心位置とが、水平方向において略同一となるように配設されている。
【００６１】
また、一の遮光板５２Ａ及び他の遮光板５２Ｂの厚みは、共に１０ｍｍであり、これらの遮光板の配置間隔は１０ｍｍである。一の遮光板５２Ａ及び他の遮光板５２Ｂにおける貫通孔５４Ａ及び５４Ｂの開口径は、１ｍｍであり、貫通孔の深さと開口径との比（アスペクト比）は、１０であり、貫通孔同士の間隔（ピッチ）は、２ｍｍである。
【００６２】
そして、バックライト１２としてキセノンランプを用い、透過型ホログラム１０に、参照光と同じ再生光Ｒを、参照光と同じ方向、即ち、透過型ホログラム１０に対して垂直方向から照射し、記録されている干渉像から回折光（再生画像）Ｄを生成する。
このとき、図１３に示すように、一の遮光板５２Ａに対して直進する再生光Ｒ１は、貫通孔５４Ａ及び５４Ｂを通過する。一方、一の遮光板５２Ａに対して斜め方向から入射する再生光Ｒ２は、他の遮光板５２Ｂにおける貫通孔５４Ｂ以外の部位により遮蔽される。その結果、透過型ホログラム１０の厚み方向に対して斜め４５°から目視すると、バックライト及び再生画像Ｄの奥側の景色は視認されず、再生画像Ｄのみを鮮明に見ることができる。
【産業上の利用可能性】
【００６３】
本発明の光再生装置及び本発明の光再生方法は、透過型ホログラムの再生時における、光源（バックライト）、再生画像の奥側に透けて見える画像等の不要な物体の視認を防止し、再生画像をより鮮明に観察者に視認させることができる。このため、ホログラムを用いた各種表示装置、街頭広告、店頭広告などにおける３Ｄ画像の再生に好適に使用することができる。
【図面の簡単な説明】
【００６４】
【図１】図１は、再生光遮蔽手段における遮光板に形成される透過部の水平断面形状の一例を示す概略説明図である。
【図２】図２は、再生光遮蔽手段における遮光板に形成される透過部の配置態様の一例を示す概略説明図である。
【図３Ａ】図３Ａは、光記録媒体がＨホログラムである場合の再生光遮蔽手段の一例を示す概略説明図である。
【図３Ｂ】図３Ｂは、光記録媒体がＶホログラムである場合の再生光遮蔽手段の一例を示す概略説明図である。
【図４Ａ】図４Ａは、透過部を有する遮光板からなる再生光遮蔽手段の一例を示す上面図である。
【図４Ｂ】図４Ｂは、図４Ａに示す再生光遮蔽手段の断面図である。
【図５】図５は、再生光が、遮光板における透過部を透過する条件を示す概略説明図である。
【図６】図６は、透過部を有する遮光板からなる再生光遮蔽手段の一例を示す断面図である。
【図７】図７は、透過部を有する遮光板からなる再生光遮蔽手段の一例を示す断面図である。
【図８】図８は、透過部を有する遮光板からなる再生光遮蔽手段の一例を示す概略説明図である。
【図９】図９は、透過部を有する遮光板からなる再生光遮蔽手段の一例を示す概略説明図である。
【図１０】図１０は、二重パターンからなる透過部を有する遮光板により形成された再生光遮蔽手段の一例を示す概略説明図である。
【図１１】図１１は、二重パターンからなる透過部を有する遮光板１枚により形成された再生光遮蔽手段の一例を示す概略説明図である。
【図１２Ａ】図１２Ａは、透過部を有する遮光板１枚からなる再生光遮蔽手段の一例を示す斜視図である。
【図１２Ｂ】図１２Ｂは、図１２Ａに示す再生光遮蔽手段の断面図である。
【図１３】図１３は、貫通孔を有する遮光板からなる再生光遮蔽手段を有する実施例３の光再生装置を示す概略説明図である。
【図１４Ａ】図１４Ａは、従来の透過型ホログラムの再生方法の一例を示す概略説明図である。
【図１４Ｂ】図１４Ｂは、図１４Ａに示す再生方法により得られた再生画像（ホログラム像）の一例を示す概略説明図である。
【図１５Ａ】図１５Ａは、従来の透過型ホログラムの再生方法の一例を示す概略説明図である。
【図１５Ｂ】図１５Ｂは、図１５Ａに示す再生方法により得られた再生画像（ホログラム像）の一例を示す概略説明図である。
【符号の説明】
【００６５】
１０              光記録媒体（透過型ホログラム）
１２              光源（バックライト）
２０，５０        再生光遮蔽手段（ルーバー）
２２，５２        遮光板
３０，４０        再生光遮蔽手段
３２，３６，４２  遮光板
３４，３５，３６Ａ，３６Ｂ，４２Ａ  透過部（貫通孔）
Ｒ                再生光
Ｄ                回折光
Ｓ                遮蔽部
【図１】
2008065083.tif 000003
【図２】
2008065083.tif 000004
【図３Ａ】
2008065083.tif 000005
【図３Ｂ】
2008065083.tif 000006
【図４Ａ】
2008065083.tif 000007
【図４Ｂ】
2008065083.tif 000008
【図５】
2008065083.tif 000009
【図６】
2008065083.tif 000010
【図７】
2008065083.tif 000011
【図８】
2008065083.tif 000012
【図９】
2008065083.tif 000013
【図１０】
2008065083.tif 000014
【図１１】
2008065083.tif 000015
【図１２Ａ】
2008065083.tif 000016
【図１２Ｂ】
2008065083.tif 000017
【図１３】
2008065083.tif 000018
【図１４Ａ】
2008065083.tif 000019
【図１４Ｂ】
2008065083.tif 000020
【図１５Ａ】
2008065083.tif 000021
【図１５Ｂ】
2008065083.tif 000022